(57)【要約】【課題】  従来例の簡易洗髪器によれば、頭部位置の移動等設定完了にかかる時間が長く必要とされた。洗髪時に於いても眼、鼻、口、耳に水分が流入しないよう十分な注意を必要とされた。また、洗髪時には常にうつむいた状態か仰向けの状態の為、本人が今現在の状況をリアルタイムに確認する事が出来ず多少なりとも不安を感じていた。  もちろん、テレビを視聴しながらや、座ったり立ったままでの頭を倒さない状態や移動しながらの洗髪は不可能である大きな問題があった。【解決手段】  円筒形や多角形を有する筒状の器や袋の底面に、首廻りサイズ以下より頭廻りのサイズ以上の範囲で伸縮する機能を有する開口部や排水口を設けた簡易携帯洗髪器とした。この伸縮する開口部に底面より頭を潜らせ肩の位置まで落とし込む事によりテレビを視聴しながら等、座ったり立ったまま頭を倒さない状態での洗髪や、移動しながらでの洗髪を容易なかたちで可能としたことが特徴である。【選択図】図１
2011245252.tif 000002
【特許請求の範囲】
【請求項１】
通常では首廻りサイズ以下であり、負荷状態では頭廻りのサイズ以上の範囲で伸縮する機能を有する開口部や排水口を底面に設けている円筒形や多角形を有する筒状の器や袋であり、肩や胸その他の物に支持することにより固定する事も出来ることを特徴とする簡易携帯洗髪器。
【発明の詳細な説明】
【技術分野】
【０００１】本発明は、主に服を着ている状態で洗髪を行なう時に用いられ、円筒形や多角形を有する筒状の器や袋であり、首廻りサイズ以下より頭廻りのサイズ以上の範囲で伸縮する機能を有する開口部や排水口を底面に設けている。この伸縮する開口部に底面より頭を潜らせ肩の位置まで落とし込む事により伸縮開口部は首廻りのサイズ以下の状態で首にセットされ、本発明の筒状の器や袋は首より上部の頭部を覆い、首より下の服や胴体を濡らすことなく洗髪を可能とした簡易携帯洗髪器に関する。
【背景技術】
【０００２】  一般に、主に服を着ている状態にて服を濡らすことなく洗髪を行なう簡易携帯洗髪器は、椅子等に腰掛けての使用時には椅子の周囲に設け、頭を前に倒し込んだり、椅子とともに反り返った状態にて洗髪を行なっていた。また、寝ている状態に於いては頭部の位置に持ち運び可能な洗髪用器を設置し、ベッドや床の寝床より頭部を洗髪用器へ移動する事により簡易洗髪器として活用していた。
【先行技術文献】
【特許文献】
【０００３】
【特許文献１】  特開２００７−１３５６９１号  広報
【発明の概要】
【発明が解決しようとする課題】
【０００４】  従来例の簡易洗髪器によれば、頭部位置の移動等設定完了にかかる時間が長く必要とされた。洗髪時に於いても眼、鼻、口、耳に水分が流入しないよう十分な注意を必要とされた。また、洗髪時には常にうつむいた状態か仰向けの状態の為、本人が今現在の状況をリアルタイムに確認する事が出来ず多少は不安を感じていた。もちろん、テレビを視聴しながらや、座ったり立ったままでの頭を倒さない状態や移動しながらの洗髪は不可能である大きな問題があった。
本発明は、このような不具合を解消するためになされたものであり、座った状態や立った状態に於いて、円筒形や多角形を有する筒状の器や袋の底面に設けた首廻りサイズ以下より頭廻りのサイズ以上の範囲で伸縮する機能を有する開口部より頭を潜らせ肩の位置まで落とし込む事により伸縮開口部は首廻りのサイズ以下の状態で首にセットされ、本発明の筒状の器や袋は首より上部の頭部を覆い、首より下の服や胴体を濡らすことなく洗髪を可能とした簡易携帯洗髪器の提供を目的とする。
【課題を解決するための手段】
【０００５】  上記不具合を解決するために、本発明は次のような構成としている。
請求項１に記載した洗髪器は円筒形や多角形を有する筒状の器や袋であり、首廻りサイズ以下より頭廻りのサイズ以上の範囲で伸縮する機能を有する開口部や排水口を底面に設けている。この伸縮する開口部に底面より頭を潜らせ肩の位置まで落とし込む事により伸縮開口部は首廻りのサイズ以下の状態で首にセットされ、本発明の筒状の器や袋は首より上部の頭部を覆い、首より下の服や胴体を濡らすことなく洗髪を可能とした。また、筒状の器や袋は透明性のある素材や軽量化を図った簡易携帯洗髪器とした。
【発明の効果】
【０００６】  以上説明したように本発明によれば、簡易携帯洗髪器の伸縮する開口部の底側より頭を潜らせ肩の位置まで落とし込む事により伸縮開口部は首廻りのサイズ以下の状態で首にセットされ、本発明の筒状の器や袋は首より上部の頭部を覆い以下の効果を得ることができた。すなわち首廻りサイズ以下より頭廻りのサイズ以上の範囲で伸縮する機能を有する開口部や排水口を底面に設けている円筒形や多角形を有する筒状の器や袋である簡易携帯洗髪器を利用することにより、首より下の服や胴体を濡らすことなくスピーディーな洗髪を可能とした。また、テレビを視聴しながら等、座ったり立ったまま頭を倒さない状態での洗髪や、移動しながらでの洗髪を容易なかたちで可能となり、洗髪される立場の人も通常の洗髪時と比較して違和感や体への負担が少なく簡単に利用する事ができ洗髪の回数も増えた。闘病中においても気軽に洗髪できる為、女性に於いては何の問題も無く髪を伸ばす事が可能となり、女性らしく日々を過ごすことが出来るようになった。その結果、洗髪される立場の人も快く、洗髪する立場の人もスピーディーで負担少ない洗髪が可能となる効果を得ることができた。
【図面の簡単な説明】
【０００７】
【図１】図１は本発明の簡易携帯洗髪器を示す透視図
【図２】図２は本発明の簡易携帯洗髪器の底面を示す平面図
【図３】図３は図２のＡ−Ａ’断面図
【図４】図４は従来例の簡易携帯洗髪器を示す透視図
【発明を実施するための形態】
【０００８】  円筒形や多角形を有する筒状の器や袋であり、首廻りサイズ以下より頭廻りのサイズ以上の範囲で伸縮する機能を有する開口部や排水口を底面に設けている。
この伸縮する開口部に底面より頭を潜らせ肩の位置まで落とし込む事により伸縮開口部は首廻りのサイズ以下の状態で首にセットされ、筒状の器や袋は首より上部の頭部を容易に覆うことが出来るものである。
【０００９】  本発明の実施例について、図面を参照して説明する。図１は本発明の円筒形タイプを有する筒状の器や袋で、肩への固定システム型簡易携帯洗髪器を示す斜視図、図２は、本発明の円筒形タイプを有する筒状の器や袋で、肩への固定システム型簡易携帯洗髪器を示す底面の平面図。図３は本発明の円筒形タイプを有する筒状の器や袋で、肩への固定システム型簡易携帯洗髪器の底面を示す平面図である図２のＡ−Ａ’断面図。
【００１０】  図１で示すように、本発明の通常では首廻りサイズ以下であり、負荷状態では頭廻りのサイズ以上の範囲で伸縮する機能を有する開口部や排水口を底面に設けている円筒形や多角形を有する筒状の器や袋であることを特徴とする簡易携帯洗髪器１は、底面２に底面より頭を潜らせ肩の位置まで落とし込む事の出来る伸縮開口部３を設けている。一般に、主に服を着ている状態にて服を濡らすことなく洗髪を行なうさい図４の従来例簡易携帯洗髪器４０は、椅子等に腰掛けての使用時には椅子の周囲に設け、頭を前に倒したり、椅子とともに反り返り洗髪を行なっていた。
また、寝ている状態に於いては頭部の位置に持ち運び可能な洗髪用器を設置し、ベッドや床の寝床より頭部を洗髪用器へ水平移動する事により簡易洗髪器として活用していたが、図１で示すように本発明の円筒形や多角形を有する筒状の器や袋であり、首廻りサイズ以下より頭廻りのサイズ以上の範囲で伸縮する機能を有する開口部や排水口を底面に設けている簡易携帯洗髪器は。この伸縮する開口部に底面より頭を潜らせ肩の位置まで落とし込む事によりテレビを視聴しながらや、座ったり立ったりのままで頭を倒さない状態での洗髪や、移動しながらでの洗髪を容易に可能としたことが特徴である。更に図１、図２、図３にて詳細に説明する。
【００１１】図１は簡易携帯洗髪器を示す透視図である。
本発明の簡易携帯洗髪器１は、円筒形や多角形を有する筒状の器や袋であり底面２に伸縮開口部３と排水口５を設けている。伸縮開口部３は通常では首廻りサイズ以下であり、負荷状態では頭廻りのサイズ以上の範囲で伸縮する機能を有する開口部である。図２の伸縮開口部３は伸縮開口部の下部９と伸縮開口部上部２０及び、伸縮開口部面１１を設けている。伸縮開口部３について図３にて更に説明する。伸縮開口部面１１は水平面ではなく、伸縮開口部の下部９と伸縮開口部上部２０との間にレベル差があり高さ３０を設けている。肩への取付け手段として紐体６及び紐体取付け具７を設けている。
また円筒形や多角形を有する筒状の器や袋の上部面４の側面に給水管取付け紐体８等を設けている。紐体８は本発明の簡易携帯洗髪器１を肩以外に取付ける手段でもある。円筒形や多角形を有する筒状の器や袋であり、首廻りサイズ以下より頭廻りのサイズ以上の範囲で伸縮する機能を有する開口部や排水口を底面に設けている伸縮開口部下部９に底面より頭を潜らせ肩の位置まで落とし込む事により伸縮開口部３及び伸縮開口部面１１は首廻りのサイズ以下の状態で首にセットされ、本発明の筒状の器や袋は首より上部の頭部を覆い、首より下の服や胴体を濡らすことのない容易な洗髪を可能とした効果がえられるものである。
【符号の説明】
【００１２】  １    本発明の簡易携帯洗髪器
２    底面
３    伸縮開口部
４    上部面
５    排水口
６    紐体
７    紐体取付け具
８    給水管取付け紐体
９    伸縮開口部下部
１１    伸縮開口部面
２０    伸縮開口部上部
３０    高さ
４０    従来例簡易携帯洗髪器
【図１】
2011245252.tif 000003
【図２】
2011245252.tif 000004
【図３】
2011245252.tif 000005
【図４】
2011245252.tif 000006